(57)【要約】【課題】液体もしくは気体が封入されたカートリッジから液体もしくは気体を排出する際に液体もしくは気体の流量を調整することが可能で、当該カートリッジに容易に着脱可能な構造を有する流量調整装置を提供する。【解決手段】液体もしくは気体の流量を調整する調整具と、調整具が結合した底部と、底部に結合される円筒部材とを備えるカップと、カップの外周に勘合する固定リングとを具備する流量調整装置。【選択図】図３
2008008376.tif 000002
【特許請求の範囲】
【請求項１】
液体もしくは気体の流量を調整する調整具と、
前記調整具が結合した底部と、前記底部に結合される円筒部材とを備えるカップと、
前記カップの外周に勘合する固定リングとを具備する
流量調整装置。
【請求項２】
請求項１に記載の流量調整装置において、
前記カップは、前記円筒部材の外径が前記底部から離れるに従って大きくなるテーパー形状を具備する
流量調整装置。
【請求項３】
請求項１又は２に記載の流量調整装置において、
前記調整具は、前記カップの中心軸方向に移動可能であって、
更に、前記液体もしくは前記気体の排出を規制するボタンが、前記液体もしくは前記気体が入った容器に付属し、前記調整具が前記ボタンに接触する
流量調整装置。
【請求項４】
請求項１乃至３のいずれか一項に記載の流量調整装置において、
前記調整具は、おねじの棒部を備え、
前記底部は、めねじの穴を備え、
前記棒部は前記穴に挿入される
流量調整装置。
【請求項５】
請求項１乃至４のいずれか一項に記載の流量調整装置において、
前記固定リングは、円周方向の一部が切れたスリット部を備える
流量調整装置。
【請求項６】
請求項１乃至５のいずれか一項に記載の流量調整装置において、
前記カップの前記円筒部材は、円周方向の一部が切れたスリット部を備える
流量調整装置。
【発明の詳細な説明】
【技術分野】
【０００１】
本発明は、冷媒等を封入した容器から流量を調整して冷媒等を排出することが可能な流量調整装置に関する。
【背景技術】
【０００２】
液体もしくは気体が封入されたカートリッジに備えた排出装置を操作することによって、そのカートリッジに封入された液体や気体を外部に排出することができる物がある。液体もしくは気体とは、冷媒や洗浄液、潤滑液、不活性ガス、殺虫剤等様々な物質が挙げられる。
【０００３】
上記のようにカートリッジ本体には、排出装置が備えられていることがある。排出装置とは、スプールがバネで押されて、スプールがシールに押されることによって、カートリッジ本体に封入された液体もしくは気体が外部に漏れないようにしておき、当該スプールを手で押し込むことによってスプリングを縮ませて、スプールとシールの接触を解除し、カートリッジ本体に封入されている液体もしくは気体を、スプールに開けられている穴を通して外部に排出させるようにした物である。
【０００４】
したがって、作業者は、手でスプールを押し込む時間と押し込む量を手加減することにより、外部に排出する液体もしくは気体の量を調整することができる。しかし、作業者が、液体もしくは気体を、任意の時間だけ排出したい場合、その任意の時間の間、手でスプールを押し続けなければならない。しかも、作業者が、液体もしくは気体を、任意の時間、一定の流量だけ排出したい場合、スプールを押し込む力を任意の時間の間、一定に保たなければならない。さらに、作業者は、スプールを押すために、少なくとも片手が拘束され、液体もしくは気体の流量の微調整に苦労する。
【０００５】
特許文献１に、流量調整弁が開示されている。この流量調整弁は、ハウジング内に、流体入口に連通する第一の室と、この第一の室および流体出口に連通する第二の室とが形成され、第二の室内に、この第二の室を二つに区画する圧力調整膜が固定され、この圧力調整膜に、第一、第二の室内に亘って配置されたニードルが固定され、流体入口から第二の室に導入された流体の圧力に応じて圧力調整膜が変位することにより、ニードルとハウジングの壁部との間の流路面積が変位して、第二の室および流体出口側の流体圧力が調査される構成である。また、そのハウジングに、圧力調整膜の位置を調整する調整機構が設けられると共に、この調整機構の操作部がハウジングの外部に露出して設けられ、かつ流体出口近傍に、ハウジングよりも熱膨張率の小さい材料からなるオリフィスプレートが設けられている（特許文献１参照）。
【０００６】
【特許文献１】特開平６−２０１０６３号公報
【発明の開示】
【発明が解決しようとする課題】
【０００７】
本発明の目的は、液体もしくは気体が封入されたカートリッジから流量を調整して液体もしくは気体を排出することが可能な流量調整装置を提供することである。
【０００８】
本発明の目的は、液体もしくは気体が封入されたカートリッジから流量を調整して液体もしくは気体を排出することが可能な流量調整装置であって、しかも当該カートリッジに容易に着脱可能な構造を有する流量調整装置を提供することである。
【課題を解決するための手段】
【０００９】
以下に、（発明を実施するための最良の形態）で使用される番号を用いて、課題を解決するための手段を説明する。これらの番号は、（特許請求の範囲）の記載と（発明を実施するための最良の形態）との対応関係を明らかにするために付加されたものである。ただし、それらの番号を、（特許請求の範囲）に記載されている発明の技術的範囲の解釈に用いてはならない。
【００１０】
本発明による流量調整装置は、液体もしくは気体の流量を調整する調整具（２，２ａ）と、調整具（２，２ａ）が結合した底部と、底部に結合される円筒部材とを備えるカップ（４）と、カップ（４）の外周に勘合する固定リング（６）とを備えている。
【００１１】
本発明による流量調整装置において、カップ（４）は、円筒部材の外径が底部から離れるに従って大きくなるテーパー形状（４ｂ）を備えている。
【００１２】
本発明による流量調整装置において、調整具（２，２ａ）は、カップ（４）の中心軸方向に移動可能であって、更に、液体もしくは気体の排出を規制するボタン（８ｂ）が、液体もしくは気体が入った容器（４０）に付属し、調整具（２，２ｂ）がボタン（８ｂ）に接触する。
【００１３】
本発明による流量調整装置において、調整具（２，２ｂ）は、おねじの棒部（２ａ）を備え、底部は、めねじの穴（４ｄ）を備え、棒部（２ａ）は穴（４ｄ）に挿入される。
【００１４】
本発明による流量調整装置において、固定リング（６）は、円周方向の一部が切れたスリット部（６ａ）を備える。
【００１５】
本発明による流量調整装置において、カップ（４）の円筒部材は、円周方向の一部が切れたスリット部（４ａ）を備える。
【発明の効果】
【００１６】
本発明によれば、液体もしくは気体が封入されたカートリッジから流量を調整して液体もしくは気体を排出することが可能な流量調整装置が提供される。
【００１７】
本発明によれば、液体もしくは気体が封入されたカートリッジから流量を調整して液体もしくは気体を排出することが可能な流量調整装置であって、しかも当該カートリッジに容易に着脱可能な構造を有する流量調整装置が提供される。
【発明を実施するための最良の形態】
【００１８】
添付図面を参照して、本発明による流量調整装置を実施するための最良の形態を以下に説明する。
【００１９】
図１及び図２は、本発明にかかる流量調整装置をカートリッジ本体に装着した状態の上面図と側面図を示す。また、図３は、本発明にかかる流量調整装置をカートリッジ本体に装着した状態の斜視図を示す。図４は、本発明にかかる流量調整装置をカートリッジ本体に装着した状態の断面図を示す。なお、図４は、図１に示すＡ−Ａ’断面を示している。
【００２０】
カートリッジ本体４０とは、液体もしくは気体が封入され、液体もしくは気体を外部に排出するための排出装置であるボタン部８ｂ及びノズル部８ａを有したものである。つまり、カートリッジは、カートリッジ本体４０である円筒形の容器と排出装置で構成されている。カートリッジ本体４０は、金属製の容器である。当該排出装置の詳細については、後述する。
【００２１】
流量調整装置は、流量調整ネジ頭部２及びそのネジ部２ａと、カップ４と固定リング６から構成されている。
【００２２】
流量調整ネジ頭部２及びそのネジ部２ａは、例えば六角ボルトであればよい。流量調整ネジ頭部２を手で回すことによって、カートリッジ本体４０に封入された液体もしくは気体（本実施形態においては、以下、液体もしくは気体を冷媒として説明する）の排出量を調整するため、流量調整ネジ頭部２の形態は、円形で表面に凹凸をつけて滑りにくくしたものや、六角形ではなく四角形でもよい。ネジ部２ａは、丸棒に一定のピッチでネジを切ったものであればよく、流量調整ネジ頭部２とネジ部２ａは一体である。なお、流量調整ネジ頭部２とネジ部２ａは、金属性でも樹脂製でもよいが、本発明にかかる流量調整装置及びカートリッジ本体４０を作業者が携帯するならば、軽量である樹脂製が好ましい。
【００２３】
カップ４は、例えばポリプロピレンやフッ素樹脂を切削加工あるいは射出成形にて作られる。カップ４は、金属製であってもよいが、上記のように作業者が携帯することを考慮するならば、軽量である樹脂製が好ましい。
【００２４】
カップ４の形状は、円筒形で上記のネジ部２ａが通るように、底部にめねじ穴４ｄを有している。さらに、カップ４は、カートリッジの排出装置のノズル部８ａとの干渉を避けるために、カップのスリット部４ａを有することが望ましい。さらに、カップ４の外形形状は、外径が底部から縁部に向かって大きくなった、カップのテーパー部４ｂを有していてもよい。カップのテーパー部４ｂと固定リング６の嵌合については、後述する。
【００２５】
固定リング６は、カップ４と同様に樹脂であればよく、ワッシャ状の形状である。固定リング６は、カートリッジの排出装置のノズル部８ａとの干渉を避けるために、固定リングのスリット部６ａを有していてもよい。なお、固定リング６の内径は、カップ４の外径よりも小さくなければならない。その理由は、図３に示すように、固定リング６は、カップ４の外側にはめこんでカップ４とカートリッジ本体４０を嵌合させるからである。なお、カップ４が、カップのテーパー部４ｂを有する場合は、カップ４の最も大きな外径よりも固定リング６の内径が小さければよい。
【００２６】
なお、カートリッジの排出装置がノズル部８ａを有する場合は、図３に示すように、カップ４のカップのスリット部４ａと固定リング６のスリット部６ａは、円周方向に同じ位置になるように固定リング６を配置する。その理由は、カートリッジに封入された冷媒が消費され、カートリッジの交換を行うために固定リング６を取りはずす際、ノズル部８ａと固定リング６が干渉することを回避するためである。
【００２７】
次に、本発明にかかる流量調整装置をカートリッジ本体４０に装着する手順を説明する。
【００２８】
まず、カートリッジ本体４０にカップ４を被せる。その際、カップ４の縁部は、カートリッジ本体との接触部４ｃと嵌合する。この状態のままでは、カップ４は、カートリッジ本体４０から容易に外れてしまう。そこで、固定リング６をカップ４の外側にはめこんで、固定リング６をカップ４のカップのテーパ−部４ｂにはめる。上記のようにカップのテーパー部４ｂの最も大きな外径は、固定リング６の内径よりも大きいので、固定リング６を押し付け力２０でカップのテーパー部４ｂに押し付けると、カップ４がカートリッジとの接触部４ｃに押し付けられ、締め付け力３０が発生し、カップ４がカートリッジ本体４０に嵌合される。
【００２９】
排気装置は、スプール上部１０ａとスプール下部１０ｂで構成されたスプールと、弾性材８ｃ、スプリング８ｄと、これらを保持する筐体で構成されている。さらに、排出装置は、スプールを押して、排出される冷媒の経路をガイドする役目をなす、ボタン部８ｂ及びノズル部８ａを有する。ボタン部８ｂ及びノズル部８ａの内部には、ノズル穴８ｅが貫通している。
【００３０】
冷媒を排出させない時、作業者は、ネジ部２ａをゆるめておき、スプール押し付け部８ｂ−１を、スプール頭部１０ｄに接触させない。したがって、スプリング８ｄがスプール（スプール上部１０ａ及びスプール下部１０ｂ）を上方に押し上げ、スプール下部１０ｂは、スプール下部の弾性材との接触部１０ｅで弾性材８ｃに接触する。つまり、この接触が、カートリッジ本体４０に封入された冷媒が外部に排出されることを抑止している。スプール上部１０ａは中空構造となっている。また、スプール上部１０ａの側面を貫通するようにスプール穴１０ｃが設けられている。この状態において、スプール穴１０ｃは、弾性材８ｃによってふさがれている。なお、スプールは、樹脂であり、弾性材８ｃはゴムあるいは軟質の樹脂である。
【００３１】
次に、作業者が、カートリッジ本体４０に封入された冷媒を排出し、冷媒の流量を調整する場合の手順を説明する。図５は、本発明にかかる流量調整装置をカートリッジ本体に装着した状態で、カートリッジ本体に封入された液体等の流量調整を説明する断面図を示す。なお、図５は、図１に示すＡ−Ａ’断面を示している。
【００３２】
作業者は、流量調整ネジ頭部２を回転させる（流量調整ネジ回転１２）。流量調整ネジ頭部２のネジ部２ａが右ネジであれば、流量調整ネジ２を右回転に回せば、ネジ部２ａは下方に移動する（流量調整ネジ押し込み１４）。ネジ部２ａの先端は、排出装置のボタン部８ｂに接触し、ボタン部８ｂ及びノズル部８ａを下方に押し下げる。その結果、スプール押し付け部８ｂ−１が、スプール頭部１０ｄに接触し、スプールが下方に押し下げられる。その結果、スプール下部１０ｂは弾性材８ｃから離れる。
【００３３】
スプール上部１０ａに設けられたスプール穴１０ｃは、弾性材８ｃから離れ、穴をふさぐものがなくなる。したがって、カートリッジ本体４０に封入されている冷媒は、スプール穴１０ｃを通ってスプール上部１０ａの内部を通り、さらにノズル穴８ｅを通って外部に排出される。
【００３４】
作業者が、冷媒の流量を絞りたい時は、流量調整ネジ頭部２を左回転に回して、ネジ部２ａを上方に移動させる。スプリング８ｄの反発力が、スプールを介して、ボタン部８ｄを上方に押しているから、排気装置のボタン部８ｂとノズル部８ａは上方に上昇する。スプリング８ｄの反発力がスプールを上方に押しているので、作業者が、流量調整ネジ頭部２を左回転に回すことにより、スプール穴１０ｃの穴口が弾性材８ｃで塞がれ、冷媒の排出１６の量が絞られるのである。このようにして、作業者が、流量調整ネジ頭部２を左右に回転させることによって、冷媒が外部に排出する流量を微調整することができる。
【００３５】
例えば、ある物体を冷やしたいと考える。その際、その物体の周囲に冷媒を通すことができるようなフレキシブル性を有した中空の配管を巻きつける。その配管の先端をノズル部８ａに接続する。作業者は、流量調整ネジ頭部２を左右のいずれかに回転させることによって、カートリッジ本体４０に封入された冷媒の排出量を調整することができるので、当該物体を強く冷やしたければ、流量調整ネジ頭部２を左に回転させ、多くの冷媒を流し、弱く冷やしたければ、流量調整ネジ頭部２を右に回転させ、少しの冷媒を流せばよい。なお、一定の流量で冷媒を流したければ、流量調整ネジ頭部２を回して所望の流量に微調整した後、そのままにしておけば、冷媒がある限り、一定の冷媒が排出される。
【００３６】
上記のように、外部に排出させる冷媒の流量の微調整は、流量調整ネジ頭部２を回転させて行うのであるが、微調整の精度は、ネジ部２ａに切られたネジ山のピッチによって決められる。したがって、ネジ山のピッチが細かいほど、冷媒の排出の微調整の精度は高くなり、ネジ山のピッチが粗いほど、冷媒の排出の微調整の精度は粗くなる。
【図面の簡単な説明】
【００３７】
【図１】図１は、本発明にかかる流量調整装置をカートリッジ本体に装着した状態の上面図を示す。
【図２】図２は、本発明にかかる流量調整装置をカートリッジ本体に装着した状態の側面図を示す。
【図３】図３は、本発明にかかる流量調整装置をカートリッジ本体に装着した状態の斜視図を示す。
【図４】図４は、本発明にかかる流量調整装置をカートリッジ本体に装着した状態の断面図を示す。
【図５】図５は、本発明にかかる流量調整装置をカートリッジ本体に装着した状態で、カートリッジ本体に封入された液体等の流量調整を説明する断面図を示す。
【符号の説明】
【００３８】
２    ：流量調整ネジ頭部
２ａ  ：ネジ部
４    ：カップ
４ａ  ：カップのスリット部
４ｂ  ：カップのテーパ部
４ｃ  ：カートリッジとの接触部
４ｄ  ：カップのめねじ穴
６    ：固定リング
６ａ  ：固定リングのスリット部
８ａ  ：ノズル部
８ｂ  ：ボタン部
８ｂ−１：スプール押し付け部
８ｃ  ：弾性材
８ｄ  ：スプリング
８ｅ  ：ノズル穴
１０ａ：スプール上部
１０ｂ：スプール下部
１０ｃ：スプール穴
１０ｄ：スプール頭部
１０ｅ：スプール下部の弾性材との接触部
１２  ：流量調整ネジ回転
１４  ：流量調整ネジ押し込み
１６  ：冷媒の排出
２０  ：押し付け力
３０  ：締め付け力
４０  ：カートリッジ本体
【図１】
2008008376.tif 000003
【図２】
2008008376.tif 000004
【図３】
2008008376.tif 000005
【図４】
2008008376.tif 000006
【図５】
2008008376.tif 000007